【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
配列番号：２ｎ（ここでｎは１〜１０７の整数である）からなる群から選択されるアミノ酸配列の成熟型を含む単離ポリペプチド。
【請求項２】
配列番号：２ｎ（ここでｎは１〜１０７の整数である）からなる群から選択されるアミノ酸配列を含む単離ポリペプチド。
【請求項３】
配列番号：２ｎ（ここでｎは１〜１０７の整数である）からなる群から選択されるアミノ酸配列に少なくとも９５％同一であるアミノ酸配列を含む単離ポリペプチド。
【請求項４】
ポリペプチドが配列番号：２ｎ（ここでｎは１〜１０７の整数である）からなる群から選択されるアミノ酸配列中に１またはそれ以上の保存的置換を含むアミノ酸配列を含む、単離ポリペプチド。
【請求項５】
該ポリペプチドが天然に存在する請求項１に記載のポリペプチド。
【請求項６】
請求項１に記載のポリペプチドおよび担体を含む組成物。
【請求項７】
１またはそれ以上の容器内に請求項６に記載の組成物を含むキット。
【請求項８】
ヒト疾病と関連する症候群を処置するための医薬の製造における療法剤の使用であって、疾病が請求項１に記載のポリペプチドと関連する病態から選択され、療法剤が請求項１に記載のポリペプチドを含むものである使用。
【請求項９】
試料中の請求項１に記載のポリペプチドの存在または量を測定する方法であって、
（ａ）該試料を用意すること；
（ｂ）該試料をポリペプチドに免疫特異的に結合する抗体に導入すること；および
（ｃ）該ポリペプチドに結合する抗体の存在または量を測定すること、
これにより、該試料中のポリペプチドの存在または量を測定すること
を含む方法。
【請求項１０】
第１の哺乳類対象中の請求項１に記載のポリペプチドの発現の変化したレベルと関連する疾病の存在または素因を測定する方法であって、
ａ）第１の哺乳類対象由来の試料中のポリペプチドの発現のレベルを測定すること；および
ｂ）ステップ（ａ）の試料中の該ポリペプチドの発現を、該疾病を有さないかまたは素因を有さないことが知られている第２の哺乳類対象由来の対照試料に存在するポリペプチドの発現と比較すること、
ここで、対照試料と比較して第１の対象中のポリペプチドの発現のレベルの変化は、該疾病の存在または素因を示す、
を含む方法。
【請求項１１】
請求項１に記載のポリペプチドに結合する物質を同定する方法であって、
（ａ）該ポリペプチドを該物質に導入すること；および
（ｂ）該物質が該ポリペプチドに結合するか否かを測定すること、
を含む方法。
【請求項１２】
物質が細胞受容体または下流のエフェクターである、請求項１１に記載の方法。
【請求項１３】
病態の処置において使用するための潜在的治療物質を同定する方法であって、病態が請求項１に記載のポリペプチドの異常発現または異常生理的相互作用と関連し、
（ａ）請求項１に記載のポリペプチドを発現しかつポリペプチドに帰する性質または機能を有する細胞を用意すること；
（ｂ）細胞を候補物質を含む組成物と接触させること；および
（ｃ）物質がポリペプチドに帰する性質または機能を変化させるか否かを測定すること；
これにより、物質の存在下で観察される変化が、細胞を物質の非存在下で組成物と接触されるときに観察されなければ、物質が潜在的治療物質として同定される、
を含む方法。
【請求項１４】
請求項１に記載のポリペプチドと関連する病態の活性または潜在活性のモジュレーター、または素因をスクリーニングする方法であって、
（ａ）試験化合物を請求項１に記載のポリペプチドと関連する病態に対して増加したリスクのある被検動物に投与すること、ここで該被検動物は請求項１に記載のポリペプチドを組換え的に発現する；
（ｂ）該被検動物中の該ポリペプチドの活性をステップ（ａ）の化合物の投与後に測定すること；および
（ｃ）該被検動物中の該ポリペプチドの活性を該ポリペプチドを投与されていない対照動物中の該ポリペプチドの活性と比較すること、ここで該対照動物と比べて該被検動物中の該ポリペプチドの活性の変化は、試験化合物が請求項１に記載のポリペプチドと関連する病態の活性または潜在活性のモジュレーター、または素因であることを示す、
を含む方法。
【請求項１５】
該被検動物が、試験タンパク質導入遺伝子を発現するかまたはプロモーターの制御下で、野生型被検動物と比べて増加したレベルで該導入遺伝子を発現する組換え被検動物である（ここで該プロモーターは該導入遺伝子の天然の遺伝子プロモーターではない）、請求項１４に記載の方法。
【請求項１６】
請求項１に記載のポリペプチドの活性を調節する方法であって、請求項１に記載のポリペプチドを発現する細胞試料を該ポリペプチドに結合する化合物と、ポリペプチドの活性を調節するのに十分な量で接触させることを含む方法。
【請求項１７】
請求項１に記載のポリペプチドと関連する病態を処置または予防する方法であって、請求項１に記載のポリペプチドを、かかる処置または予防が望まれる対象に対象中の病態を処置または予防するのに十分な量で投与することを含む方法。
【請求項１８】
対象がヒトである請求項１７に記載の方法。
【請求項１９】
哺乳類の病状を処置する方法であって、哺乳類に病状を改善するのに十分な量でポリペプチドを投与すること、ポリペプチドは、配列番号：２ｎ（ここでｎは１〜１０７の整数である）からなる群から選択されるアミノ酸配列を含むポリペプチドに少なくとも９５％同一であるアミノ酸配列、またはその生物学的に活性なフラグメントを有するポリペプチドである、を含む方法。
【請求項２０】
配列番号：２ｎ−１（ここでｎは１〜１０７の整数である）からなる群から選択される核酸配列を含む単離核酸分子。
【請求項２１】
核酸分子が天然に存在するものである、請求項２０に記載の核酸分子。
【請求項２２】
核酸分子が配列番号：２ｎ−１（ここでｎは１〜１０７の整数である）からなる群から選択される核酸配列と１つのヌクレオチドにより異なる、核酸分子。
【請求項２３】
配列番号：２ｎ（ここでｎは１〜１０７の整数である）からなる群から選択されるアミノ酸配列を有するポリペプチドの成熟型をコード化する単離核酸分子。
【請求項２４】
配列番号：２ｎ−１（ここでｎは１〜１０７の整数である）からなる群から選択される核酸を含む単離核酸分子。
【請求項２５】
該核酸分子が厳密な条件下で、配列番号：２ｎ−１（ここでｎは１〜１０７の整数である）からなる群から選択されるヌクレオチド配列または該ヌクレオチド配列の相補的配列にハイブリダイズする、請求項２０に記載の核酸分子。
【請求項２６】
請求項２０に記載の核酸分子を含むベクター。
【請求項２７】
該核酸分子に作用可能に結合するプロモーターをさらに含む、請求項２６に記載のベクター。
【請求項２８】
請求項２６に記載のベクターを含む細胞。
【請求項２９】
請求項１に記載のポリペプチドに免疫特異的に結合する抗体。
【請求項３０】
抗体がモノクローナル抗体である、請求項２９に記載の抗体。
【請求項３１】
抗体がヒト化抗体である、請求項２９に記載の抗体。
【請求項３２】
試料中の請求項２０に記載の核酸分子の存在または量を測定する方法であって、
（ａ）該試料を用意すること；
（ｂ）該試料を該核酸分子に結合するプローブに導入すること；および
（ｃ）該核酸分子に結合した該プローブの存在または量を測定すること、
これにより、該試料中の核酸分子の存在または量を測定すること、
を含む方法。
【請求項３３】
核酸分子の存在または量が、細胞タイプまたは組織タイプのマーカーとして用いられる、請求項３２に記載の方法。
【請求項３４】
細胞タイプまたは組織タイプが癌性である、請求項３３に記載の方法。
【請求項３５】
第１の哺乳類対象中の請求項２０に記載の核酸分子の発現の変化レベルと関連する疾病の存在または素因を測定する方法であって、
ａ）第１の哺乳類対象由来の試料中の核酸の発現レベルを測定すること；および
ｂ）ステップ（ａ）の試料中の該核酸の発現レベルを、疾病を有さないかまたは素因を有さないことが知られている第２の哺乳類対象由来の対照試料に存在する核酸の発現レベルと比較すること；
ここで、対照試料と比較して第１の対象中の核酸の発現レベルの変化は疾病の存在または素因を示す、
を含む方法。
【請求項３６】
方法がポリペプチドの発現を導く条件下で細胞を培養することを含み、該細胞が配列番号：２ｎ−１（ここでｎは１〜１０７の整数である）からなる群から選択される核酸配列を含む単離核酸分子を含むベクターを含む、請求項１に記載のポリペプチドを産生する方法。
【請求項３７】
細胞が細菌細胞である、請求項３６に記載の方法。
【請求項３８】
細胞が昆虫細胞である、請求項３６に記載の方法。
【請求項３９】
細胞が酵母細胞である、請求項３６に記載の方法。
【請求項４０】
細胞が哺乳類細胞である、請求項３６に記載の方法。
【請求項４１】
方法がポリペプチドの発現を導く条件下で細胞を培養することを含み、該細胞が配列番号：２ｎ−１（ここでｎは１〜１０７の整数である）からなる群から選択される核酸配列を含む単離核酸分子を含むベクターを含む、請求項２に記載のポリペプチドを産生する方法。
【請求項４２】
細胞が細菌細胞である、請求項４１に記載の方法。
【請求項４３】
細胞が昆虫細胞である、請求項４１に記載の方法。
【請求項４４】
細胞が酵母細胞である、請求項４１に記載の方法。
【請求項４５】
細胞が哺乳類細胞である、請求項４１に記載の方法。